(57)【特許請求の範囲】
【請求項１】
種々のデータや指令を入力する為の入力手段と、ディスプレイを有する表示手段と、印字対象体であるテープに印字する印字手段と、入力手段と表示手段と印字手段とを制御する制御手段とを備えたテープ状ラベル作成装置において、
ラベルの印字の為の固有データを複数記憶したラベル固有情報テーブルと、ラベル名を表示する表示データを複数記憶したラベル名テーブルと、複数のラベル名の各々について、前記ラベル固有情報テーブルの先頭アドレスと前記ラベル名テーブルの先頭アドレスとを記憶したラベルインデックステーブルと、各ラベル名に付随する複数の入力指示メッセージを表示する為の表示情報を記憶した入力指示メッセージテーブルとを記憶した１つの登録書式情報記憶手段を備え、
前記固有データは、少なくともラベル印字に関する全体書式情報、ラベル印字に最適なテープ幅データ、印字に供する予め設定した特定の文字や記号であるデフォルトデータ、ラベル印字に供する入力データを印字する為の印字用書式情報を含むことを特徴とするテープ状ラベル作成装置。
【請求項２】
前記登録書式情報記憶手段が、１つのＲＯＭによって構成されていることを特徴とする請求項１記載のテープ状ラベル作成装置。
【請求項３】
前記登録書式情報記憶手段には、複数のラベル名と各ラベル名に付随する複数の入力指示メッセージとが、デフォルトデータとして記憶され、初めから入力欄に記憶されていることを特徴とする請求項１または２に記載のテープ状ラベル作成装置。
【請求項４】
前記登録書式情報記憶手段の記憶情報と入力手段から入力された指令に基づいて、複数のラベル名を順々にディスプレイに表示させ、ラベル名が選択されたときには、そのラベル名に付随する複数の入力指示メッセージを順々にディスプレイに表示させる表示制御手段と、
前記選択されたラベル名に対応する複数の入力指示メッセージに夫々付随的に入力されるテキストデータを記憶するとともに、これらテキストデータを印字する為の印字用書式情報を登録書式情報記憶手段から読出してテキストデータと対応付けて記憶するテキスト記憶手段と、
を備えたことを特徴とする請求項１〜３の何れかに記載のテープ状ラベル作成装置。
【請求項５】
前記テープはテープ幅の異なるものに交換可能であり、前記登録書式情報は、複数のラベル名に夫々適するテープ幅の情報を含んでいることを特徴とする請求項１〜４の何れかに記載のテープ状ラベル作成装置。
【請求項６】
前記表示制御手段は、選択されたラベル名に付随する複数の入力指示メッセージの各々をディスプレイの上段に表示させるとともに、各入力指示メッセージに対応するテキストデータをテキスト記憶手段から読出してディスプレイの下段に表示させるように構成されたことを特徴とする請求項１〜５の何れかに記載に記載のテープ状ラベル作成装置。
【発明の詳細な説明】
【０００１】
【産業上の利用分野】
本発明は、テープ状ラベル作成装置に関し、特にユーザーが入力指定して登録したラベル作成用の書式情報を用いて、印字文字の異なる複数枚のテープ状ラベルを簡単に作成するようにしたものに関する。
【０００２】
【従来の技術】
従来、本願出願人は、実開平１─８５０５０号公報に記載のように、キーボード、ディスプレイ、サーマルヘッドを有する印字機構を備え、印字対象体としてのテープ（例えば、テープ幅９mm、１２mm）にインクリボンを介して文字や記号などのキャラクタを印字できるテープ状ラベル作成装置であって、ファイルの背表紙に貼付するのに適したテープ状のラベルを作成するのに好適のテープ状ラベル作成装置を提案するとともに、実用化した。
【０００３】
ところで、テープ状ラベルとしては、ファイルの背表紙に貼付するものだけでなく、例えば、ビデオテープやそのケースに貼付するラベル、オーディオテープやそのケースに貼付するラベル、或いは多数の書籍に貼付する管理用のラベルなど、種々の用途に用いることが可能である。そこで、例えば、書籍に貼付する管理用のテープ状ラベルを作成する場合、「タイトル（書籍の名前）」、「著者の名前」、「購入年月日」、・・などの複数のデータ入力項目が必要であり、これら複数のデータ入力項目の各々にテキストデータを入力する毎に、その入力したテキストデータを印字する為の書式情報を、その都度入力指定して、ファイルデータとして登録する。そして、その登録ファイルのデータを印字する毎に、その登録ファイルをディスプレイの画面に呼び出して、書籍に応じたテキストデータを新規に入力して編集する編集作業を行なった後に印字し、多数の書籍に貼付する為の複数枚の管理用のテープ状ラベルを、これら編集作業と印字処理とを繰り返して作成することになる。
【０００４】
【発明が解決しようとする課題】
前述したように、書籍に貼付する管理用のテープ状ラベルを作成する場合に、印字処理の次に、これら「タイトル」、「著者の名前」、・・などの複数のデータ入力項目の各々に、前回の印字の為に入力されているテキストデータの全てを一旦消去した上で、次の書籍に関する、これら複数のデータ入力項目に関するテキストデータを新規に入力し直すことになり、編集作業が複雑化するという問題がある。そこで、これらテキストデータを入力していない、テキストデータを印字する為の書式情報だけを入力したファイルをマスターファイルとして登録しておき、そのマスター登録ファイルを画面に呼び出して、テキストデータを入力することも考えられるが、何れのデータ入力位置に何れのデータ入力項目に関するテキストデータを入力したら良いのか分かりづらいという問題がある。
【０００５】
本発明の目的は、ユーザーが入力設定した所望の登録書式情報に基づいて、複数枚のテープ状ラベルを簡単にしかも迅速に作成し得るようなテープ状ラベル作成装置を提供することにある。
【０００６】
【課題を解決するための手段】
請求項１に記載のテープ状ラベル作成装置においては、種々のデータや指令を入力する為の入力手段と、ディスプレイを有する表示手段と、印字対象体であるテープに印字する印字手段と、入力手段と表示手段と印字手段とを制御する制御手段とを備えたテープ状ラベル作成装置において、ラベルの印字の為の固有データを複数記憶したラベル固有情報テーブルと、ラベル名を表示する表示データを複数記憶したラベル名テーブルと、複数のラベル名の各々について、前記ラベル固有情報テーブルの先頭アドレスと前記ラベル名テーブルの先頭アドレスとを記憶したラベルインデックステーブルと、各ラベル名に付随する複数の入力指示メッセージを表示する為の表示情報を記憶した入力指示メッセージテーブルとを記憶した１つの登録書式情報記憶手段を備え、前記固有データは、少なくともラベル印字に関する全体書式情報、ラベル印字に最適なテープ幅データ、印字に供する予め設定した特定の文字や記号であるデフォルトデータ、ラベル印字に供する入力データを印字する為の印字用書式情報を含むことを特徴とする。
【０００７】
請求項２に記載のテープ状ラベル作成装置においては、登録書式情報記憶手段が、１つのＲＯＭによって構成されている。
【０００８】
請求項３に記載のテープ状ラベル作成装置においては、登録書式情報記憶手段には、複数のラベル名と各ラベル名に付随する複数の入力指示メッセージとが、デフォルトデータとして記憶され、初めから入力欄に記憶されている。
【０００９】
請求項４に記載のテープ状ラベル作成装置においては、登録書式情報記憶手段の記憶情報と入力手段から入力された指令に基づいて、複数のラベル名を順々にディスプレイに表示させ、ラベル名が選択されたときには、そのラベル名に付随する複数の入力指示メッセージを順々にディスプレイに表示させる表示制御手段と、選択されたラベル名に対応する複数の入力指示メッセージに夫々付随的に入力されるテキストデータを記憶するとともに、これらテキストデータを印字する為の印字用書式情報を登録書式情報記憶手段から読出してテキストデータと対応付けて記憶するテキスト記憶手段とを備えている。
【００１０】
請求項５に記載のテープ状ラベル作成装置においては、テープはテープ幅の異なるものに交換可能であり、登録書式情報は、複数のラベル名に夫々適するテープ幅の情報を含んでいる。
【００１１】
請求項６に記載のテープ状ラベル作成装置においては、表示制御手段は、選択されたラベル名に付随する複数の入力指示メッセージの各々をディスプレイの上段に表示させるとともに、各入力指示メッセージに対応するテキストデータをテキスト記憶手段から読出してディスプレイの下段に表示させるように構成されている。
【００１２】
【作用】
請求項１に記載のテープ状ラベル作成装置においては、登録書式情報の中の表示情報が、複数のラベル名と、各ラベル名に付随する複数の入力指示メッセージとを、順次入力した書式で表示し、また、印字書式情報が、各入力指示メッセージに付随的に入力されるテキストデータを入力指定した書式で印字するように作用するので、複数枚のテープ状ラベルを簡単にしかも迅速に作成できる。
【００１３】
請求項２に記載のテープ状ラベル作成装置においては、登録書式情報記憶手段が、１つのＲＯＭによって構成されており、テープ状ラベル作成装置の制御装置の構成を簡素化でき、コスト低減に寄与する。
【００１４】
請求項３に記載のテープ状ラベル作成装置においては、登録書式情報記憶手段には、複数のラベル名と各ラベル名に付随する複数の入力指示メッセージとが、デフォルトデータとして記憶され、初めから入力欄に記憶されているため、一層、複数枚のテープ状ラベル作業を容易にしている。
【００１５】
請求項４に記載のテープ状ラベル作成装置においては、表示制御手段が、登録書式情報記憶手段の記憶情報と入力手段から入力された指令に基づいて、複数のラベル名を順々にディスプレイに表示させ、ラベル名が選択されたときには、そのラベル名に付随する複数の入力指示メッセージを順々にディスプレイに表示させ、また、テキスト記憶手段が、選択されたラベル名に対応する複数の入力指示メッセージに夫々付随的に入力されるテキストデータを記憶するとともに、これらテキストデータを印字する為の印字用書式情報を登録書式情報記憶手段から読出してテキストデータと対応付けて記憶するようにしている。
【００１６】
このように、複数のラベル名が順々にディスプレイに表示され、ラベル名が選択されたときには、そのラベル名に付随する複数の入力指示メッセージを順々にディスプレイに表示し、その表示される入力指示メッセージに夫々付随的に入力されるテキストデータが、印字する為の印字用書式情報に基づいて、テープに印字されるので、前回に入力したテキストデータを消去する編集作業を省略でき、ユーザーが入力設定した所望の登録書式情報に基づいて、複数枚のテープ状ラベルを簡単にしかも迅速に作成できる。更に、入力指示メッセージが順次表示されるので、入力すべきテキストデータの内容を容易に知ることができる。
【００１７】
請求項５に記載のテープ状ラベル作成装置においては、テープはテープ幅の異なるものに交換可能であり、登録書式情報は、複数のラベル名に夫々適するテープ幅の情報を含んでおり、選択したラベル名に最適のテープ幅をディスプレイに表示させることができ、この表示を介して、最適なテープ幅を有するテープからなるラベルを確実に作成することができる。
【００１８】
請求項６に記載のテープ状ラベル作成装置においては、表示制御手段は、選択されたラベル名に付随する複数の入力指示メッセージの各々をディスプレイの上段に表示させるとともに、各入力指示メッセージに対応するテキストデータをテキスト記憶手段から読出してディスプレイの下段に表示させるので、入力指示メッセージと入力したテキストデータとを区別して表示でき、しかもより多くの文字数のテキストデータを下段表示領域全体に亙って表示することができる。
【００１９】
【実施例】
以下、本発明の実施例について図面に基いて説明する。本実施例は、ひらかなや漢字や記号などの多数のキャラクタを印字対象体であるラミネートテープ（印字テープ）に印字してテープ状のラベルを作成する、テープ状ラベル作成装置に本発明を適用した場合のものである。図１に示すように、テープ状ラベル作成装置１の本体フレーム２の前部にはキーボード３が配設され、キーボード３の後方で本体フレーム２内にはサーマル印字機構ＰＭが配設され、またキーボード３の直ぐ後側には、入力した文字や記号を２行分表示可能な液晶ディスプレイ４が設けられている。ここで、符号５は、印字機構ＰＭのカバーケースを開ける為の操作ツマミである。
【００２０】
キーボード（入力手段に相当する）３には、アルファベット文字や数字や記号を入力する為の文字キー、スペースキー、改行キー、カーソルＫを上下左右方向に夫々移動させる為のカーソル移動キー、ビデオテープやオーディオテープ或いはそのケースに貼着するのに適したラベルを簡単に作成する定型ラベル作成キー、実行キーや取消しキーなどの編集キー、印字を指令する印字キー、電源をＯＮ・ＯＦＦする為の電源キーなどが設けられている。
【００２１】
次に、サーマル印字機構（印字手段に相当する）ＰＭについて、図２に基いて簡単に説明する。このサーマル印字機構ＰＭには、着脱自在に矩形状のテープカセット１０が装着されており、このテープカセット１０には、印字対象体であるラミネートテープ１１が巻装されたテープスプール１２と、インクリボン１３が巻装されたリボンスプール１４と、このインクリボン１３を巻取るリボン巻取りスプール１５と、ラミネートテープ１１と同一幅を有する両面テープ１２が剥離紙を外側にして巻装された供給スプール１７と、これらラミネートテープ１１と両面テープ１６とを押圧して接合させる接合ローラ１８とが回転自在に設けられている。
【００２２】
前記ラミネートテープ１１とインクリボン１３とが重なる位置には、サーマルヘッド１９が立設され、これらラミネートテープ１１とインクリボン１３とをサーマルヘッド１９に押圧するプラテンローラ２０と、ラミネートテープ１１と両面テープ１６とを接合ローラ１８に押圧してテープ状ラベル２３を作成しながらテープ送りする送りローラ２１とは、本体フレーム２に回動自在に枢着されたローラ支持体２２に回転可能に枢支されている。このサーマルヘッド１９には、１２８個の発熱素子が上下方向に列設されている。
【００２３】
従って、テープ送りモータ３６（図３参照）の所定回転方向への駆動により、接合ローラ１８とリボン巻取りスプール１５とが所定回転方向に夫々同期して駆動されながら、サーマルヘッド１９の複数の発熱素子に通電されたとき、ラミネートテープ１１の裏面側には、複数のドット列により文字や記号が鏡像で印字され、しかもラミネートテープ１１の裏面側に両面テープ１６が接合されてテープ状ラベル２３が作成され、テープ送り方向Ｔに送給されて、図１・図２に示すように、本体フレーム２の外部に繰出される。尚、サーマル印字機構ＰＭの詳細については、特開平２─１０６５５５号公報を参照。
【００２４】
ところで、前記テープカセット１０として、テープスプール１２に巻装されたラミネートテープ１１のテープ幅が、６mm、９mm、１２mm、１８mm、２４mmである５種類が準備されており、このテープカセット１０の底壁部には、３つの検出用穴２４〜２６が形成され、これら５種類のテープ幅の何れかを検出できるように、これら検出用穴２４〜２６の幾つかが組合せて塞がれている。そして、このテープカセット１０の下側を支持する本体フレーム２には、これら塞がれた検出用穴２４〜２６の組合せから、テープ幅やテープ種類などを検出してテープカセット情報を出力するカセットセンサ３０（図３参照）が取付けられている。
【００２５】
次に、テープ状ラベル作成装置１の制御系は、図３のブロック図に示すように構成されている。制御装置Ｃの入出力インターフェース４４には、キーボード３と、カセットセンサ３０と、液晶ディスプレイ（ＬＣＤ）４に表示データを出力する為のビデオＲＡＭ３１を有するディスプレイコントローラ（ＬＣＤＣ）３２と、警告用ブザー３３の為の駆動回路３４と、サーマルヘッド１９を駆動する為の駆動回路３５と、テープ送りモータ３６を駆動する為の駆動回路３７とが夫々接続されている。
【００２６】
制御装置Ｃは、ＣＰＵ４０と、このＣＰＵ４０にデータバスなどのバス４５を介して接続された入出力インターフェース４４、表示用キャラクタジェネレータＲＯＭ（表示用ＣＧＲＯＭ）４１、印字用キャラクタジェネレータＲＯＭ（印字用ＣＧＲＯＭ）４２、ＲＯＭ４３及びＲＡＭ５０とから構成されている。表示用ＣＧＲＯＭ４１には、アルファベット文字や記号などの多数のキャラクタの各々に関して、所定文字サイズの表示用ドットパターンデータが格納されている。印字用ＣＧＲＯＭ４２には、アルファベット文字や記号などの多数のキャラクタの各々に関して、印字用ドットパターンデータが、各書体毎にコードデータに対応させて、複数の印字文字サイズ分格納されている。
【００２７】
ＲＯＭ４３には、キーボード３から入力された文字や数字や記号などのキャラクタのコードデータに対応させてディスプレイコントローラ３２を制御する表示駆動制御プログラム、印字に供する１ドット列毎のドットパターンデータを順次サーマルヘッド１９やテープ送りモータ３６に転送して印字する印字駆動制御プログラム、本願特有の後述のテキスト入力制御、定型ラベル作成制御、ラベル名選択制御、定型ラベルデータ入力制御、テキスト登録制御などの制御プログラムが格納されている。
【００２８】
ところで、このテープ状ラベル作成装置１で作成可能なラベル名として、ＶＨＳのビデオテープ自体に貼付する「ビデオＶＨＳテープ」、８mmビデオテープ自体に貼付する「ビデオ８mm＆Hi８テープ」、そのビデオテープのケースに貼付する「ビデオ８mm＆Hi８ケース」、ＶＨＳのコンパクト型ビデオテープ自体に貼付する「ビデオＶＨＳ−Ｃテープ」、そのビデオテープのケースに貼付する「ビデオＶＨＳ−Ｃケース」、オーディオカセットテープ自体に貼付する「オーディオカセットテープ」、・・・など、多数設けられている。更に、ユーザーが入力設定して登録した登録ファイルをラベル名として呼び出す「登録ファイルの呼出し」が設けられている。
【００２９】
即ち、このＲＯＭ４３には、図４に示すように、これら複数のラベル名の各々について、ラベル印字の為のラベル固有情報の先頭アドレスとラベル名テーブルの先頭アドレスとを記憶したラベルインデックステーブルと、各ラベル毎の固有データを記憶したラベル固有情報と、ラベル名を表示する表示データを記憶したラベル名テーブルと、各ラベル名に設けられた複数の入力指示メッセージの表示データを記憶した入力指示メッセージテーブルとが設けられている。ここで、ラベルインデックステーブルにおいて、図示の複数のラベル名の各々には、ラベル名固有のラベル番号「−１」、「０」、「１」、「２」、・・・・が各ラベル名毎に格納されている。ここで、これら複数のラベル名は、ＲＯＭ４３に予め設定されて固定的に格納されているので、以下、登録ラベル名と区別して、固定ラベル名という。
【００３０】
更に、複数のラベル固有データの各々には、図５に示すように、ラベル印字に関する全体書式情報、ラベル印字に最適なテープ幅データ、メッセージテーブルの先頭アドレス、印字に供する予め設定した、「分」や「年月日」などの特定の文字や記号であるデフォルトデータを有する入力指示項目数データ、デフォルトデータを有する入力指示項目番号データ、デフォルトデータの先頭アドレス、デフォルトデータのバイト数、カーソル表示位置のデータに加えて、各入力指示メッセージの入力指示メッセージテーブルにおける先頭アドレス、複数のデフォルトデータ、ラベル印字に供する入力データを印字する為の印字用書式情報として、各ブロックデータ毎の各行の行書式データが、改行コード又は改ブロックコードで区切られた印字用行書式情報が格納されている。但し、カーソル表示位置データとして、「−１」は行末を指示し、「０」は行頭を指示し、また数字Ｄは表示桁位置を指示するものである。
【００３１】
ここで、このテープ状ラベル作成装置１で作成できる固定ラベル名の幾つかを、図６に基づいて簡単に説明する。後述するように、ユーザーが作成して登録した登録ラベル名「登録ファイルの呼び出し」は、ラベル番号が「−１」で、テキストデータが入力指示メッセージとして表示され、また最適テープ幅は設定されたテープ幅である。固定ラベル名「ビデオＶＨＳテープ」（ラベル番号が「０」）や「ビデオ８mm＆Hi８ケース」（ラベル番号が「２」）や「ビデオＶＨＳ−Ｃケース」（ラベル番号が「４」）などは、第１入力指示メッセージとして「シンボルは？」、第２入力指示メッセージとして「タイトルは？」、第３入力指示メッセージとして「コメントは？」、第４入力指示メッセージとして「録画時間」、第５入力指示メッセージとして「標準？」、第６入力指示メッセージとして「録画日」、また最適テープ幅は「１８mm」或いは「１２mm」である。
【００３２】
また、固定ラベル名「ビデオ８mm＆Hi８テープ」（ラベル番号が「１」）、「オーディオカセットテープ」（ラベル番号が「５」）、「オーディオＤＡＴテープ」（ラベル番号が「７」）、「名前 名札」（ラベル番号が「９」、「１０」）、「管理備品」（ラベル番号が「１１」、「１２」）・・・などの入力指示メッセージ及び最適テープ幅は図示の様に設定されている。更に、その他の固定ラベル名として図示しないが、「フレキシブルディスク 3.5 インチ」、「フレキシブルディスク  ５インチ」、「プライスカード」、「書類宛名」や「手紙宛名」・・・などを含み多数の固定ラベル名が準備されている。
【００３３】
前記ＲＡＭ５０には、テキスト入力制御により、キーボード３から入力されたキャラクタのコードデータや、定型ラベルデータ入力制御により、入力指示メッセージに付随的にキーボード３から入力されたテキストデータを格納するテキストメモリ５１、選択されたラベル名に関する全体書式情報を格納する全体書式情報メモリ５２、図４に示すように、ラベルインデックステーブルに格納されたラベルを順次指示するラベルポインタのポインタ値ＬＰと、入力指示メッセージテーブルに格納された入力指示メッセージを順次指示する入力指示項目ポインタのポインタ値ＫＰを格納するポインタメモリ５３、サーマル印字機構ＰＭに装着されているテープカセット１０のラミネートテープ１１のテープ幅データを格納するテープ情報メモリ５４、ユーザーが登録された登録ファイルを格納する登録ファイルメモリ５５に加えて、そのテキストメモリ５１に格納されたキャラクタコードに対応するドットパターンデータを展開して格納する印字データバッファ５６、その他ＣＰＵ４０で演算した演算結果を一時的に格納するメモリやバッファなどが設けられている。
【００３４】
次に、テープ状ラベル作成装置１の制御装置Ｃで行なわれる、テキスト入力制御、定型ラベル作成制御、ラベル名選択制御、定型ラベルデータ入力制御、テキスト登録制御・・・などのルーチンについて、図７〜図２１の概略フローチャートに基いて説明する。尚、図中符号Ｓｉ（ｉ＝１０、１１、１２・・・・）は各ステップである。キーボード３上の電源キーの操作により電源が投入されると、先ず、文書データを入力する通常のテキスト入力制御が起動され、ディスプレイ４には、テキスト入力画面が表示される。そして、文字キーや数字キーや記号キー、更には改行キーや改ブロックキーなどの、編集キー以外の印字可能キーが操作されたときには（Ｓ10・Ｓ11：Yes ）、その入力されたキーに対応するコードデータが文書データとしてテキストメモリ５１に格納されるとともに、その操作されたキーに対応する文字や記号がディスプレイ４に表示され（Ｓ17）、Ｓ10に戻る。
【００３５】
次に、メモリキーが操作されたときには（Ｓ10：Yes 、Ｓ11：No、Ｓ12：Yes）、テキストメモリ５１に格納された文書データが、登録ファイルメモリ５５に登録する登録処理が実行され（Ｓ18）、Ｓ10に戻る。そして、印字キーが操作されたときには（Ｓ10：Yes 、Ｓ11・Ｓ12：No、Ｓ13：Yes ）、入力されてテキストメモリ５１や登録ファイルメモリ５５に格納されているファイルのうち、選択されたファイルの文書データが印字処理され（Ｓ19）、Ｓ10に戻る。ところで、ビデオテープやオーディオテープ或いはそれらのケースに貼着する所望のラベルを作成する為に、定型ラベル作成キーが操作されたときには（Ｓ10：Yes 、Ｓ11・Ｓ12〜Ｓ13：No、Ｓ14：Yes ）、このテキスト入力制御を終了して、定型ラベル作成制御（図８参照）が起動されて実行される（Ｓ20）。
【００３６】
この制御が開始されると、先ずカセットセンサ３０からテープカセット情報が読込まれて、テープ情報メモリ５４に格納され（Ｓ23）、このテープカセット情報に基づいて、テープカセット１０が装着されているときには（Ｓ24：Yes ）、図４に示すように、ラベルポインタＬＰは、ラベルインデックステーブルの先頭のラベル名「登録ファイルの呼び出し」を指示され、ラベル名選択画面がディスプレイ４に表示され（Ｓ25）、この定型ラベル作成制御を終了して、ラベル名選択制御（図９参照）が起動されて実行される（Ｓ26）。例えば、図２２に示すように、ラベルポインタ値ＬＰに基づいて、ユーザーが作成して登録した最初のラベル名「登録ファイルの呼び出し」が下段の表示領域４ｂに表示される。しかし、テープカセット１０が装着されていないときには（Ｓ24：No）、エラーメッセージ「テープが装着されていません！」が所定時間だけディスプレイ４に表示され（Ｓ27）、この定型ラベル作成制御を終了して、テキスト入力制御が起動される（Ｓ28）。
【００３７】
次に、ラベル名選択制御が開始され、下カーソル移動キーが操作されたときには（Ｓ30・Ｓ31：Yes ）、次のラベル名表示処理制御（図１０参照）が実行される（Ｓ35）。この制御が開始されると、先ずラベルポインタ値ＬＰが読込まれ（Ｓ40）、このラベルポインタ値ＬＰが最大値MAX でないときには（Ｓ41：No）、このラベルポインタ値ＬＰが１つインクリメントされ（Ｓ42）、このラベルポインタ値ＬＰで指示するラベル名に対応するラベル固有情報テーブルに格納されている最適テープ幅データが読込まれる（Ｓ43）。
【００３８】
次に、この最適テープ幅データと、テープ情報メモリ５４に格納された装着テープ幅データとが同一であるときには（Ｓ44：Yes ）、ラベルポインタ値ＬＰで指示するラベル名が、ラベル名テーブルから読出されてビデオＲＡＭ３１に展開され、ディスプレイ４に表示され（Ｓ45）、この制御を終了して、ラベル名選択制御のＳ30にリターンする。例えば、図２３に示すように、次のラベル名「ビデオ ＶＨＳテープ」が表示される。しかし、最適テープ幅データと、テープ情報メモリ５４に格納された装着テープ幅データとが同一でないときには、そのラベル名表示がスキップされて（Ｓ44：No）、Ｓ40以降が実行される。
【００３９】
ところで、読込んだラベルポインタ値ＬＰが最大値MAX のときには（Ｓ40、Ｓ41：Yes ）、ラベルポインタ値ＬＰとして「−１」、つまりラベルインデックステーブルの最初のラベル名「登録ファイルの呼び出し」が指示され、Ｓ45を経て前記Ｓ30にリターンする。例えば、図４・図２２に示すように、ディスプレイ４には、先頭のラベル名「登録ファイルの呼び出し」が表示される。
【００４０】
前記ラベル名選択制御において、上カーソル移動キーが操作されたときには（Ｓ30：Yes 、Ｓ31：No、Ｓ32：Yes ）、前のラベル名表示処理制御（図１１参照）が実行される（Ｓ36）。この制御が開始されると、先ずラベルポインタ値ＬＰが読込まれ（Ｓ50）、このラベルポインタ値ＬＰが「−１」でないときには（Ｓ51：No）、このラベルポインタ値ＬＰが１つデクリメントされ（Ｓ52）、このラベルポインタ値ＬＰで指示するラベル名に対応する最適テープ幅データが読込まれ（Ｓ53）、この最適テープ幅データと、装着テープ幅データとが同一のときには（Ｓ54：Yes ）、ラベルポインタ値ＬＰで指示するラベル名がディスプレイ４に表示され（Ｓ55）、この制御を終了して、ラベル名選択制御のＳ30にリターンする。しかし、最適テープ幅データと装着テープ幅データとが異なるときには（Ｓ54：No）、Ｓ50以降が実行される。また、読込んだラベルポインタ値ＬＰが「−１」のときには（Ｓ50、Ｓ51：Yes ）、ラベルポインタ値ＬＰとして、最大値MAX がセットされ（Ｓ56）、Ｓ53以降が実行される。
【００４１】
一方、取消しキーが操作されたときには（Ｓ30：Yes 、Ｓ31〜Ｓ33：No、Ｓ34：Yes ）、この制御を終了して、テキスト入力制御が起動されるが（Ｓ38）、実行キーが操作されたときには（Ｓ30：Yes 、Ｓ31〜Ｓ32：No、Ｓ33：Yes ）、このラベル名選択制御を終了して、定型書式情報展開制御（図１２参照）が起動されて実行される（Ｓ37）。
【００４２】
この制御が開始されたときに、ラベルポインタ値ＬＰが「−１」でないとき、つまりユーザーが作成して登録したラベル名以外の、ＲＯＭ４３に固定的に格納された固定ラベル名のときには（Ｓ60：No）、固定ラベル名選択モードであることを示す為に、ラベル名フラグＬＦがセットされ（Ｓ61）、選択されてラベルポインタＬＰで指示する固定ラベル名の、ラベル固有データに格納されている、全体書式情報が全体書式情報メモリ５２に展開されるとともに、行書式情報がテキストメモリ５１に展開され（Ｓ62）、この定型書式情報展開制御を終了して、定型ラベルデータ入力制御（図１３参照）が起動されて実行される（Ｓ63）。ここで、ラベルポインタ値ＬＰが「−１」のときに、Ｓ64以降のステップにより、登録ファイルとして登録されたテキストデータを定型書式情報とする制御については、後述する。
【００４３】
この制御が開始されると、先ず、入力指示項目ポインタ値ＫＰとして、初期値、つまり選択された固定ラベル名のラベル固有データの第１入力指示メッセージ先頭アドレスが指示（図５参照）され（Ｓ70）、次に、「分」や「年月日」などの特定の文字や記号などからなるデフォルトデータを検索する制御（図１４参照）が実行される（Ｓ71）。この制御が開始されると、先ず図５に示すラベル固有データに基づいて、デフォルトデータを含む入力指示項目が存在するときであって（Ｓ90：Yes ）、入力指示項目ポインタＫＰで指示する入力指示項目にデフォルトデータが存在し（Ｓ91：Yes ）、更にテキストメモリ５１に展開された行書式情報のデータに基づいて、その入力指示項目に対応して、テキストデータが何も入力されていないときには（Ｓ92：No）、ラベル固有データのデフォルトデータ先頭アドレスで指示されるデフォルトデータが、行書式情報の対応するデータ格納位置に挿入して書込まれる（Ｓ93）。
【００４４】
次に、カーソル表示処理制御（図１５参照）が実行される（Ｓ94）。ところで、この制御が開始されたときに、デフォルトデータを含む入力指示項目が存在しないとき（Ｓ90：No）、またデフォルトデータを含む入力指示項目が存在しても、入力指示項目ポインタＫＰで指示する現在の入力指示項目にデフォルトデータが存在しないとき（Ｓ90：Yes 、Ｓ91：No）、更にデフォルトデータを含む入力指示項目が存在し、しかも現在の入力指示項目にデフォルトデータが存在する場合であっても、その入力指示項目に対応して、テキストデータが既に入力されているときには（Ｓ90〜Ｓ92：Yes ）、この制御を直ぐに終了して、定型ラベルデータ入力制御のＳ72にリターンする。
【００４５】
このカーソル表示処理制御が開始されると、ラベル固有データに基づいて、カーソル表示位置データが「０」又は「Ｄ」であって、表示桁位置を指示しているときには（Ｓ96：No）、そのカーソル表示位置データに対応してカーソルＫが、ディスプレイ４の下段表示領域４ｂの指定された表示位置に表示され（Ｓ97）、この制御及びデフォルトデータ検索処理制御を終了して、前記Ｓ72にリターンする。しかし、カーソル表示位置データが「−１」で、行末を指示しているときには（Ｓ96：Yes ）、カーソルＫを下段表示領域４ｂの行末の表示位置、つまり改行マーク又は改ブロックマーク上に表示され（Ｓ98）、同様に前記Ｓ72にリターンする。
【００４６】
次に、定型ラベルデータ入力制御において、Ｓ70でセットされた入力指示項目ポインタ値ＫＰで指示する第１入力指示メッセージ先頭アドレスと、入力指示メッセージテーブルのデータと、Ｓ62とＳ93によりテキストメモリ５１に展開された行書式情報のデータとに基づいて、先頭の入力指示メッセージがディスプレイ４の上段表示領域４ａに表示されるとともに、その入力行データ（改行コードや改ブロックコード）がその下段表示領域４ｂに表示される（Ｓ72）。例えば、図２３に示すように、固定ラベル名として「ビデオ ＶＨＳテープ」が表示されているときに実行キーが操作されると、図２４に示すように、ディスプレイ４の上段表示領域４ａには、先頭の第１入力指示メッセージ「シンボルは？」が反転表示されるとともに、その下段表示領域４ｂには、反転表示によるブロック数「１」と行数「１」とが、第１桁の表示位置に表示され、改ブロックマークがカーソルＫを伴って第２桁表示位置に表示される。
【００４７】
次に、印字可能キーが操作されたときには（Ｓ73・Ｓ74：Yes ）、その操作されたキーに対応するコードデータ又は変換されたシンボルやマークのコードデータが、現在表示されている入力指示メッセージに対応する、テキストメモリ５１の所定格納位置に挿入により格納され且つカーソルＫの直前に表示され（Ｓ79）、Ｓ73に戻る。例えば、図２５に示すようなシンボルが、カーソルＫの直前の入力位置に挿入して表示される。次に、改行キー又はカーソル下移動キーが操作されたときには（Ｓ73：Yes 、Ｓ74：No、Ｓ75：Yes ）、次の入力指示メッセージ表示処理制御（図１６参照）が実行される（Ｓ80）。
【００４８】
この制御が開始されたときに、入力指示項目ポインタ値ＫＰが最大値MAX でないときは（Ｓ100 ：No）、入力指示項目ポインタ値ＫＰが１つインクリメントされ（Ｓ101 ）、前述したデフォルトデータ検索処理制御が実行される（Ｓ102 ）。次に、入力指示メッセージ表示処理制御（図１７参照）が実行される（Ｓ103）。この制御が開始されたときに、ラベル名フラグＬＦがセットされていて、固定ラベル名選択モードのときには（Ｓ106 ：Yes ）、入力指示項目ポインタＫＰで指示する、入力指示メッセージテーブルに格納されているメッセージ表示データが読込まれて、ディスプレイ４の上段表示領域４ａに表示され（Ｓ107 ）、この制御を終了して、次の入力指示メッセージ表示処理制御のＳ104 にリターンする。
【００４９】
次に、次の入力指示メッセージ表示処理制御において、テキストメモリ５１に展開された行書式情報のデータに基づいて、入力指示項目ポインタ値ＫＰに対応する入力行データが読込まれて、ディスプレイ４の下段表示領域４ｂに表示され（Ｓ104 ）、この制御を終了して、定型ラベルデータ入力制御のＳ73にリターンする。ところで、この制御が開始されたときに、入力指示項目ポインタ値ＫＰが最大値MAX のときは（Ｓ100 ：Yes ）、この制御を直ぐに終了して、前記Ｓ73にリターンする。
【００５０】
例えば、図２６に示すように、ディスプレイ４の上段表示領域４ａには、第２入力指示メッセージ「タイトルは？」が反転表示されるとともに、その下段表示領域４ｂには、反転表示によるブロック数「２」と行数「１」とが、第１桁の表示位置に表示され、改行マークがカーソルＫを伴って第２桁表示位置に表示される。そして、図２７に示すように、印字可能キーを操作して所望のテキストを入力した後に改行キーを操作すると、その後に入力されたテキストデータ「ヴェルディｖｓマリノス」が、テキストメッセージ５１の対応する位置に格納されるとともに、その先頭から６文字分だけ挿入により表示される。
【００５１】
更に、カーソル下移動キーの２回操作により、図２８に示すように、第４入力指示メッセージ「録画時間」が上段表示領域４ａに表示される。このとき、この入力指示項目に対応する、デフォルトデータ「分」と改行マークを含む入力行データが、第３ブロックの１行目として、下段表示領域４ｂに表示される。但し、このときのカーソルＫの表示位置は、カーソル表示位置データ「０」によりデフォルトデータ「分」の位置である。そして、図２９に示すように、数字キーの操作により入力されたテキストデータ「１２０」が、テキストメッセージ５１の対応する位置に格納されるとともに、カーソルＫの直前に挿入して表示される。
【００５２】
一方、カーソル上移動キーが操作されたときには（Ｓ73：Yes 、Ｓ74〜Ｓ75：No、Ｓ76：Yes ）、前の入力指示メッセージ表示処理制御（図１８参照）が実行される（Ｓ81）。この制御が開始されたときに、入力指示項目ポインタ値ＫＰが最小値MIN でないときは（Ｓ110 ：No）、入力指示項目ポインタ値ＫＰが１つデクリメントされ（Ｓ111 ）、前述したデフォルトデータ検索処理制御が実行され（Ｓ112 ）、入力指示メッセージ表示処理制御が前記と同様に実行され（Ｓ113）、テキストメモリ５１に展開された行書式情報のデータに基づいて、入力指示項目ポインタＫＰで指示する入力行データが読込まれて、ディスプレイ４の下段表示領域４ｂに表示され（Ｓ114 ）、この制御を終了して、前記Ｓ73にリターンする。
【００５３】
次に、選択した固定ラベル名に関して表示された複数の入力指示メッセージの各々について、テキストデータを入力した後、印字キーが操作されたときには（Ｓ73：Yes 、Ｓ74〜Ｓ76：No、Ｓ77：Yes ）、全体書式情報メモリ５２に格納された全体書式情報と、テキストメモリ５１に格納された、テキストデータを含む行書式情報とに基づいて、印字処理が実行され（Ｓ82）、この制御を終了して、定型ラベル作成制御を起動して実行される（Ｓ83）。例えば、固定ラベル名「ビデオ ＶＨＳテープ」について、前述した６つの入力指示メッセージに基づいて入力されたテキストデータの印字位置は、図３０に示すように、夫々設定されているので、これらのテキストデータが夫々の印字位置に印字され、図３１に示すように、ＶＨＳタイプのビデオテープに貼着可能なテープ状ラベル２３が簡単に作成できる。
【００５４】
そして、前記テキスト入力制御を実行中に、テキスト登録キーが操作されたときには（Ｓ10：Yes 、Ｓ11〜14：No、Ｓ15：Yes ）、テキスト入力制御を終了して、テキスト登録制御（図１９参照）が起動されて実行される（Ｓ21）。この制御が開始されると、先ずテキスト登録画面が表示される（Ｓ120 ）。例えば、ディスプレイ４には、図３２に示すように、その上段表示領域４ａに、ファイルを登録するとともに、登録番号を選択する文字列「登録選択」と、デフォルトのテープ幅である「９mm」が表示されるとともに、その下段表示領域４ｂに、未登録の登録番号のうち、小さい登録番号が反転表示される。
【００５５】
次に、カーソル下移動キー或いはカーソル上移動キーが操作されたときには（Ｓ121 ・Ｓ122 ：Yes ）、その登録番号がカーソル移動キーの種類に対応して切換えて表示され（Ｓ128 ）、Ｓ121 に戻る。また、テープ幅切換えキーが操作されたときには（Ｓ121 ：Yes 、Ｓ122 ：No、Ｓ123 ：Yes ）、操作される毎に、現在表示中の「９mm」→「１２mm」→「１８mm」→「２４mm」→「６mm」→「９mm」・・・・のように、テープ幅がサイクリックに順次切換えて表示される。
【００５６】
次に、印字可能キーが操作されたときには（Ｓ121 ：Yes 、Ｓ122 ・Ｓ123 ：No、Ｓ124 ：Yes ）、その操作されたキーに対応するコードデータがテキストデータとしてテキストメモリ５１に格納され（Ｓ130 ）、Ｓ121 に戻る。例えば、図３３に示すように、テープ幅切換えキーの操作で、テープ幅が「１２mm」に切換えられるとともに、入力されたテキストデータ「題名，改ブロックマーク，著者，改行マーク・・・」が下段表示領域４ｂに表示される。
【００５７】
ところで、書式変更キーが操作されたときには（Ｓ121 ：Yes 、Ｓ122 〜Ｓ126 ：No）、行印字の揃えの種類、文字間ピッチ、横書き又は縦書き、・・・などの印字全体に関する全体書式情報と、印字文字サイズや書体などの行印字に関する行書式を設定するなどの、操作されたキーに対応する種々の処理が実行され（Ｓ127 ）、Ｓ121 に戻る。
【００５８】
そして、取消しキーが操作されたときには（Ｓ121 ：Yes 、Ｓ122 〜Ｓ125 ：No、Ｓ126 ：Yes ）、この制御を終了して、テキスト入力制御が起動されるが（Ｓ132 ）、実行キーが操作されたときには（Ｓ121 ：Yes 、Ｓ122 〜Ｓ124 ：No、Ｓ125 ：Yes ）、テキストメモリ５１に格納された、テープ幅データと行書式データとを含むテキストデータが、登録ファイル名を伴って登録ファイルメモリ５５のテキストデータエリアに登録されるとともに、この登録ファイルの全体書式情報が、このテキストデーに関連付けて、登録ファイルメモリ５５の全体書式情報エリアに登録する登録処理が実行され（Ｓ131 ）、その後、テキスト入力制御が起動される（Ｓ132 ）。
【００５９】
ここで、印字行書式情報と全体書式情報とから印字用書式情報が構成される。そして、登録ファイルメモリ５５には、登録ファイル名であるラベル名やテキストデータである入力指示メッセージからなる表示情報と、印字書式情報とを含む登録書式情報が、前記ＲＯＭ４３に格納された固定的な書式情報と同様に記憶されている。
【００６０】
ところで、このようにユーザーが登録した登録ファイルのデータを用いて、前述したように、固定ラベル名と同様に登録ラベル名のラベルを作成することができる。即ち、図９に示すラベル名選択制御を実行中に、実行キーの操作により、ラベル名「登録ファイルの呼び出し」が選択されて（図２２参照）、図１２に示す定型書式情報展開制御が実行されたときには、ラベルポインタ値ＬＰが「−１」であり（Ｓ60：Yes ）、登録ファイルが登録ファイルメモリ５５に存在するときには（Ｓ64：Yes ）、ラベル名フラグＬＦがリセットされる（Ｓ65）。
【００６１】
次に、登録ファイルメモリ５５に格納された登録ファイル（以下、登録ラベルという）のうち、先頭の登録ラベル名がディスプレイ４の下段表示領域４ｂに表示され（Ｓ66）、この制御を終了して、登録ファイル選択制御（図２０参照）が起動されて実行される（Ｓ67）。例えば、図３４に示すように、上段表示領域４ａには、登録ラベル名の選択を促すメッセージ「呼出選択」と、設定されているテープ幅「１２mm」とが表示されるとともに、下段表示領域４ｂには、先頭の登録ファイル名「書籍用ラベル」がファイル番号「３」とともに表示される。
【００６２】
そして、この登録ファイル選択制御が開始されて、カーソル下移動キーが操作されたときには（Ｓ140 ・Ｓ141 ：Yes ）、下段表示領域４ｂに次の登録ラベル名を表示する表示処理が実行され（Ｓ145 ）、Ｓ140 に戻る。また、カーソル上移動キーが操作されたときには（Ｓ140 ：Yes 、Ｓ141 ：No、142 ：Yes ）、下段表示領域４ｂに前の登録ラベル名を表示する表示処理が実行され（Ｓ146 ）、Ｓ140 に戻る。ところで、取消しキーが操作されたときには（Ｓ140 ：Yes 、Ｓ141 〜Ｓ143 ：No、Ｓ144 ：Yes ）、この制御を終了して、ラベル名選択制御が起動されるが（Ｓ148 ）、実行キーが操作されたときには（Ｓ140 ：Yes 、Ｓ141 〜Ｓ142 ：No、143 ：Yes ）、この制御を終了して、登録ファイル展開制御（図２１参照）が起動されて実行される（Ｓ147 ）。
【００６３】
この制御が開始されると、先ずこの選択された登録ラベル名について、登録ファイルメモリ５５のデータが検索されて、テープ幅データが格納されていないときには（Ｓ150 ：No）、その選択されている登録ラベル名のデータについて、登録ファイルメモリ５５のテキストデータエリアの、テープ幅データと行書式データとを含むテキストデータが、テキストメモリ５１に展開されるとともに、登録ファイルメモリ５５の全体書式情報エリアの全体書式情報が、全体書式情報メモリ５２に展開される（Ｓ151 ）。そして、この制御を終了して、定型ラベルデータ入力制御（図１３参照）が起動されて実行される（Ｓ152 ）。
【００６４】
一方、この制御が開始されたときに、テープ幅データが格納されており（Ｓ150 ：Yes ）、この最適テープ幅データと、テープ情報メモリ５４に格納された、装着されている装着テープ幅データとが同一のときには（Ｓ153 ：Yes ）、Ｓ151 〜Ｓ152 が実行されて、定型ラベルデータ入力制御が起動される。しかし、これら最適テープ幅データと装着テープ幅データとが同一でないときには（Ｓ153：No）、その最適テープ幅のテープカセットを装着する旨のエラーメッセージがディスプレイ４に表示され（Ｓ154 ）、この制御を終了して、登録ファイル選択制御が起動される（Ｓ155 ）。例えば、図３５に示すように、最適テープ幅が「１２mm」のときには、そのエラーメッセージとして、「１２mmのテープカセットをセットして下さい」が表示される。
【００６５】
そして、その定型ラベルデータ入力制御が実行されるときに、入力指示項目ポインタＫＰは、テキストメモリ５１に展開された、改行コード又は改ブロックコードで区切られた一連のテキストデータを入力指示メッセージとして順次指示され、デフォルトデータ検索処理制御については、デフォルトデータが存在しないので、Ｓ90でNoと判定される。更に、次の入力指示メッセージ表示処理（Ｓ80）と前の入力指示メッセージ表示処理（Ｓ81）における、入力指示メッセージ表示処理（図１７参照）が実行されたときには（Ｓ103 、Ｓ113 ）、ラベル名フラグＬＦがリセットされているので（Ｓ106 ：No）、入力指示項目ポインタＫＰで指示する、登録ファイルのテキストデータが読込まれて、ディスプレイ４の上段表示領域４ａに、入力指示メッセージとして表示される（Ｓ108 ）。
【００６６】
例えば、図３６に示すように、前述した固定ラベルと同様に（図２５〜図２９）、先ず先頭の第１入力指示メッセージ「題名」がディスプレイ４の上段表示領域４ａに表示されるとともに、改ブロックコードを含むその行書式データがその下段表示領域４ｂに表示される。そして、カーソル下移動キー或いは改行キーが操作されたときには、図３７に示すように、次の第２入力指示メッセージ「著者」がディスプレイ４の上段表示領域４ａに表示される。そして、これらの入力指示メッセージが表示されているときに、その指示メッセージに対応するデータがテキストデータとして入力されて、テキストメモリ５１に格納されるとともに表示され、印字キーの操作により、これら入力されたテキストデータが、全体書式情報と行書式情報とに基づいて印字処理され、ユーザーが登録した登録ラベル名のデータに基づいた、テープ状ラベル２３が作成される。
【００６７】
次に、ユーザーが入力設定した所望の登録書式情報に基づいて、テープ状ラベル２３を作成する作用について説明する。登録ファイルメモリ５５には、キーボード３から入力設定された登録書式情報であって、複数のラベル名（登録ファイル名）と、各ラベル名に付随する複数の入力指示メッセージとを入力指定した書式で表示する為の表示情報と、各入力指示メッセージに付随的に入力されるテキストデータを入力指定した書式で印字する為の、全体書式情報と行書式情報とからなる印字用書式情報とを含む登録書式情報が記憶されているので、登録ファイル選択制御により、複数のラベル名を順々にディスプレイ４に表示させ、ラベル名が選択されたときには、そのラベル名に付随する複数の入力指示メッセージを順々にディスプレイ４の上段表示領域４ａに表示させる。
【００６８】
そして、テキストメモリ５１には、選択されたラベル名に対応する複数の入力指示メッセージに夫々付随的に入力されるテキストデータが格納されるとともに、これらテキストデータを印字する為の全体書式情報を登録ファイルメモリ５５から読出してテキストデータと対応付けて全体書式情報メモリ５２に格納する。そして、サーマル印字機構ＰＭにより、このテキストメモリ５１に記憶されているテキストデータを、これら全体書式情報と行書式情報とに基づいてラミネートテープ１１に印字することにより、テキストデータを印字したテープ状ラベル２３を、簡単に且つ迅速に作成できる。更に、登録したテキストデータが入力指示メッセージとして表示されるので、入力すべきテキストデータの内容を容易に知ることができる。
【００６９】
また、登録書式情報には、複数のラベル名に夫々に適するテープ幅の情報を含んでいるので、選択したラベル名に最適のテープ幅をディスプレイ４に表示させることができ、この表示を介して、最適なテープ幅を有するラミネートテープ１１からなるテープ状ラベル２３を確実に作成することができる。更に、選択されたラベル名に付随する複数の入力指示メッセージの各々がディスプレイ４の上段表示領域４ａに表示させるとともに、各入力指示メッセージに対応するテキストデータがディスプレイ４の下段表示領域４ｂに表示させるようにしたので、入力指示メッセージと入力したテキストデータとを区別して表示でき、しかもより多くの文字数のテキストデータを下段表示領域４ｂの全体に亙って表示することができる。
【００７０】
尚、ラベル名（登録ファイル名）が選択されたときに、登録ファイルメモリ５５から読出した全体書式情報を、テキストデータと対応付けてテキストメモリ５１に格納するように構成したり、５〜６行分表示可能な大型のディスプレイ４を設け、入力指示メッセージを２〜３行からなる上段の表示領域に表示するとともに、入力したテキストデータを２〜３行からなる下段の表示領域に表示するように構成したり、する等、本発明の技術的思想の範囲内において、前記実施例に関し、既存の技術や当業者に自明の技術に基いて種々の変更を加えることもあり得る。尚、キーボードやＣＲＴ方式のディスプレイや印字機構を備えた種々のテープ状ラベル作成装置に本発明を適用し得ることは勿論である。
【００７１】
【発明の効果】
以上説明したことから明らかなように、請求項１に記載のテープ状ラベル作成装置においては、登録書式情報の中の表示情報が、複数のラベル名と、各ラベル名に付随する複数の入力指示メッセージとを、順次入力した書式で表示し、また、印字書式情報が、各入力指示メッセージに付随的に入力されるテキストデータを入力指定した書式で印字するように作用し、複数枚のテープ状ラベルを簡単にしかも迅速に作成できる。
【００７２】
また、請求項２に記載のテープ状ラベル作成装置においては、登録書式情報記憶手段が、１つのＲＯＭによって構成されており、テープ状ラベル作成装置の制御装置の構成を簡素化でき、コスト低減に寄与することができる。
【００７３】
更に、請求項３に記載のテープ状ラベル作成装置においては、登録書式情報記憶手段には、複数のラベル名と各ラベル名に付随する複数の入力指示メッセージとが、デフォルトデータとして記憶され、初めから入力欄に記憶されているため、一層、複数枚のテープ状ラベル作業を容易にできる。
【００７４】
また、請求項４に記載のテープ状ラベル作成装置においては、表示制御手段が、登録書式情報記憶手段の記憶情報と入力手段から入力された指令に基づいて、複数のラベル名を順々にディスプレイに表示させ、ラベル名が選択されたときには、そのラベル名に付随する複数の入力指示メッセージを順々にディスプレイに表示させ、また、テキスト記憶手段が、選択されたラベル名に対応する複数の入力指示メッセージに夫々付随的に入力されるテキストデータを記憶するとともに、これらテキストデータを印字する為の印字用書式情報を登録書式情報記憶手段から読出してテキストデータと対応付けて記憶するようにしている。
【００７５】
このため、複数のラベル名が順々にディスプレイに表示され、ラベル名が選択されたときには、そのラベル名に付随する複数の入力指示メッセージを順々にディスプレイに表示し、その表示される入力指示メッセージに夫々付随的に入力されるテキストデータが、印字する為の印字用書式情報に基づいて、テープに印字されるので、前回に入力したテキストデータを消去する編集作業を省略でき、ユーザーが入力設定した所望の登録書式情報に基づいて、複数枚のテープ状ラベルを簡単にしかも迅速に作成できる。更に、入力指示メッセージが順次表示されるので、入力すべきテキストデータの内容を容易に知ることができる。
【００７６】
更に、請求項５に記載のテープ状ラベル作成装置においては、テープはテープ幅の異なるものに交換可能であり、登録書式情報は、複数のラベル名に夫々適するテープ幅の情報を含んでおり、選択したラベル名に最適のテープ幅をディスプレイに表示させることができ、この表示を介して、最適なテープ幅を有するテープからなるラベルを確実に作成することができる。
【００７７】
請求項６に記載のテープ状ラベル作成装置においては、表示制御手段は、選択されたラベル名に付随する複数の入力指示メッセージの各々をディスプレイの上段に表示させるとともに、各入力指示メッセージに対応するテキストデータをテキスト記憶手段から読出してディスプレイの下段に表示させるので、入力指示メッセージと入力したテキストデータとを区別して表示でき、しかもより多くの文字数のテキストデータを下段表示領域全体に亙って表示することができる。
【図面の簡単な説明】
【図１】テープ状ラベル作成装置の平面図である。
【図２】テープカセットを装着したサーマル印字機構の概略平面図である。
【図３】テープ状ラベル作成装置の制御系のブロック図である。
【図４】ＲＯＭに格納された、複数の固定ラベルの各々に関する書式情報を説明する説明図である。
【図５】書式情報に含まれるラベル固有情報テーブルのデータを説明する説明図である。
【図６】定型ラベル名と入力指示メッセージと最適テープ幅との対応関係を示すラベル名一覧表を示す図表である。
【図７】テキスト入力制御のルーチンの概略フローチャートである。
【図８】定型ラベル作成制御のルーチンの概略フローチャートである。
【図９】ラベル名選択制御のルーチンの概略フローチャートである。
【図１０】次のラベル名表示処理制御のルーチンの概略フローチャートである。
【図１１】前のラベル名表示処理制御のルーチンの概略フローチャートである。
【図１２】定型書式情報展開制御のルーチンの概略フローチャートである。
【図１３】定型ラベルデータ入力制御のルーチンの概略フローチャートである。
【図１４】デフォルトデータ検索処理制御のルーチンの概略フローチャートである。
【図１５】カーソル表示処理制御のルーチンの概略フローチャートである。
【図１６】次の入力指示メッセージ表示処理制御のルーチンの概略フローチャートである。
【図１７】入力指示メッセージ表示処理制御のルーチンの概略フローチャートである。
【図１８】前の入力指示メッセージ表示処理制御のルーチンの概略フローチャートである。
【図１９】テキスト登録制御のルーチンの概略フローチャートである。
【図２０】登録ファイル選択制御のルーチンの概略フローチャートである。
【図２１】登録ファイル展開制御のルーチンの概略フローチャートである。
【図２２】登録ファイルを選択するときのラベル名選択画面の表示例を示す図である。
【図２３】固定ラベル名を選択するときの図２２相当図である。
【図２４】第１入力指示メッセージの表示例を示す図である。
【図２５】入力したテキストデータが表示された図２４相当図である。
【図２６】第２入力指示メッセージの表示例を示す図である。
【図２７】入力したテキストデータが表示された図２６相当図である。
【図２８】デフォルトデータを含む第３入力指示メッセージの表示例を示す図である。
【図２９】入力したテキストデータが表示された図２８相当図である。
【図３０】テキストデータの印字位置を入力指示メッセージで説明する説明図である。
【図３１】固定ラベル名「ビデオＶＨＳテープ」で作成したテープ状ラベルの図である。
【図３２】テキスト登録画面の表示例を示す図である。
【図３３】入力したテキストデータが表示された図３２相当図である。
【図３４】登録ファイル選択画面の表示例を示す図である。
【図３５】最適テープ幅を有するテープカセットの装着を促すエラーメッセージの表示例である。
【図３６】登録ファイルに関する図２４相当図である。
【図３７】登録ファイルに関する図２６相当図である。
【符号の説明】
１ テープ状ラベル作成装置
３ キーボード
４ 液晶ディスプレイ
１０ テープカセット
１１ ラミネートテープ
１９ サーマルヘッド
２０ プラテンローラ
３６ テープ送りモータ
４０ ＣＰＵ
４３ ＲＯＭ
５０ ＲＡＭ
５１ テキストメモリ
５５ 登録ファイルメモリ
ＰＭ サーマル印字機構
Ｃ 制御装置
【図１】
0003587181.tif 000002
【図２】
0003587181.tif 000003
【図３】
0003587181.tif 000004
【図４】
0003587181.tif 000005
【図５】
0003587181.tif 000006
【図６】
0003587181.tif 000007
【図７】
0003587181.tif 000008
【図８】
0003587181.tif 000009
【図９】
0003587181.tif 000010
【図１０】
0003587181.tif 000011
【図１１】
0003587181.tif 000012
【図１２】
0003587181.tif 000013
【図１３】
0003587181.tif 000014
【図１４】
0003587181.tif 000015
【図１５】
0003587181.tif 000016
【図１６】
0003587181.tif 000017
【図１７】
0003587181.tif 000018
【図１８】
0003587181.tif 000019
【図１９】
0003587181.tif 000020
【図２０】
0003587181.tif 000021
【図２１】
0003587181.tif 000022
【図２２】
0003587181.tif 000023
【図２３】
0003587181.tif 000024
【図２４】
0003587181.tif 000025
【図２５】
0003587181.tif 000026
【図２６】
0003587181.tif 000027
【図２７】
0003587181.tif 000028
【図２８】
0003587181.tif 000029
【図２９】
0003587181.tif 000030
【図３０】
0003587181.tif 000031
【図３１】
0003587181.tif 000032
【図３２】
0003587181.tif 000033
【図３３】
0003587181.tif 000034
【図３４】
0003587181.tif 000035
【図３５】
0003587181.tif 000036
【図３６】
0003587181.tif 000037
【図３７】
0003587181.tif 000038